(57)【要約】【課題】センサの故障、経時によるセンサの感度低下、センサの温度依存性などによって起こる出力値の異常を被験者の異常と誤認することのない生体情報監視システムを提供する。【解決手段】センサの故障診断手段を用いて、生体情報計測端末の故障診断を行う。また、出力補正手段を用いて生体情報計測端末の出力の補正を行う。【選択図】    図３
2004337332.tif 000002
【特許請求の範囲】
【請求項１】
被験者の生体情報を計測する生体情報計測手段と、前記生体情報を記憶する記憶手段と、からなる生体情報監視システムにおいて、
生体情報の計測を行うセンサの故障診断を行う故障診断手段を有することを特徴とする生体情報監視システム。
【請求項２】
被験者の生体情報を計測する生体情報計測手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
からなる生体情報監視システムにおいて、
前記生体情報計測端末は、生体情報の計測を行うセンサの故障診断を行う故障診断手段を有することを特徴とする生体情報監視システム。
【請求項３】
前記生体情報計測手段で計測する生体情報は、前記被験者の行動情報であることを特徴とする請求項１又は２に記載の生体情報監視システム。
【請求項４】
前記生体情報計測手段は加速度センサによって前記被験者の行動情報を計測し、前記故障診断手段は加速度センサに振動を加えて加速度センサの故障診断を行う故障診断手段であることを特徴とする請求項３に記載の生体情報監視システム。
【請求項５】
前記故障診断手段はバイブレータを用いて加速度センサに振動を加えて加速度センサの故障診断を行う故障診断手段であることを特徴とする請求項４に記載の生体情報監視システム。
【請求項６】
被験者の生体情報を計測する生体情報計測手段と、前記生体情報を記憶する記憶手段と、からなる生体情報監視システムにおいて、
生体情報の計測を行うセンサ出力の補正を行うセンサ出力補正手段を有することを特徴とする生体情報監視システム。
【請求項７】
被験者の生体情報を計測する生体情報計測手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
からなる生体情報監視システムにおいて、
前記生体情報計測端末は、生体情報の計測を行うセンサ出力の補正を行うセンサ出力補正手段を有することを特徴とする生体情報監視システム。
【請求項８】
前記生体情報計測手段で計測する生体情報は、前記被験者の行動情報であることを特徴とする請求項６又は７に記載の生体情報監視システム。
【請求項９】
前記生体情報計測手段は加速度センサによって前記被験者の行動情報を計測し、前記センサ出力補正手段は加速度センサに振動を加えて加速度センサ出力の補正を行うセンサ出力補正手段であることを特徴とする請求項８に記載の生体情報監視システム。
【請求項１０】
前記センサ出力補正手段はバイブレータを用いて加速度センサに振動を加えて加速度センサ出力の補正を行うセンサ出力補正手段であることを特徴とする請求項９に記載の生体情報監視システム。
【請求項１１】
被験者の生体情報を計測する生体情報計測手段と、生体情報の計測を行うセンサの故障診断を行う故障診断手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
前記生体情報端末と公衆回線を通じて接続されるコンピュータと、
からなる生体情報監視システム。
【請求項１２】
被験者の生体情報を計測する生体情報計測手段と、生体情報の計測を行うセンサ出力の補正を行うセンサ出力補正手段と、計測された生体情報を送信する送信手段と、を有する生体情報計測端末と、
前記生体情報計測端末から送信された前記被験者の生体情報を受信する計測結果受信手段と、受信した生体情報を記憶する記憶手段と、を有する生体情報受信端末と、
前記生体情報端末と公衆回線を通じて接続されるコンピュータと、
からなる生体情報監視システム。
【請求項１３】
被験者の生体情報を計測するステップと、
計測された生体情報を送信するステップと、
前記生体情報を受信するステップと、
受信した生体情報を記憶するステップと、
生体情報の計測を行うセンサの故障診断を行うステップと、
からなる生体情報監視方法。
【請求項１４】
被験者の生体情報を計測するステップと、
計測された生体情報を送信するステップと、
前記生体情報を受信するステップと、
受信した生体情報を記憶するステップと、
生体情報の計測を行うセンサ出力の補正を行うステップと、
からなる生体情報監視方法。
【請求項１５】
被験者の生体情報を計測する生体情報計測手段と、計測された生体情報を送信する送信手段と、生体情報の計測を行うセンサの故障診断を行う故障診断手段と、を有することを特徴とする生体情報計測端末。
【請求項１６】
被験者の生体情報を計測する生体情報計測手段と、計測された生体情報を送信する送信手段と、生体情報の計測を行うセンサ出力の補正を行うセンサ出力補正手段と、を有することを特徴とする生体情報受信端末。
【発明の詳細な説明】
【０００１】
【発明の属する技術分野】
本発明は、被験者の生体情報を監視する生体情報監視システム、被験者の生体情報を監視する生体情報監視方法、被験者の生体情報を計測する生体情報計測端末および被験者の生体情報を受信する生体情報受信端末に関する。
【０００２】
【従来の技術】
被験者の生体情報を計測し、計測した情報を公衆回線などのネットワークを介して監視人に報知するシステムは従来から知られており、検知対象者の行動状態に関する情報を、第一インターネットを介して所定の管理者（例えば医者）のインターネット端末に自動的に送信し、その第一インターネット端末とインターネットを介して双方向通信する第二インターネット端末を用いることによって、検知対象者またはその補助者と管理者との間での情報交換を可能とする行動検知システムを提供することを特徴とする技術（特許文献１参照）や、健康管理ネットワークシステムにおいて、通信ネットワークの故障箇所を自動的に検出し、迅速に復旧できるシステムを提供することを特徴とする技術（特許文献２参照）がある。
【０００３】
【特許文献１】
特開２００２−１４９８２４  号公報  （第９頁  第１図参照）
【０００４】
【特許文献２】
特開２０００−１５１６２１  号公報  （第５頁  第１図参照）
【０００５】
【発明が解決しようとする課題】
従来の技術では、ネットワークの故障診断を行うものはあるが、生体情報を計測するセンサの故障診断は行っておらず、センサが故障し異常な値を出力した場合に監視者は被験者に異常が起こったと誤認してしまう。また、経時にともなうセンサの感度低下やセンサの温度依存性の影響を考慮していないため、長時間使用した際や、使用環境が変化した際には、センサは真値とは異なった値を出力し、監視者は被験者の状態を正確に知ることができない。
【０００６】
従って本発明は、センサの故障診断を行い、センサの故障によって起こる出力値の異常を被験者の異常と誤認することのない生体情報監視システムおよび生体情報監視方法を提供することを目的としている。また、センサ出力の補正を行うことで信頼性の高い生体情報監視システムおよび生体情報監視方法を提供することを目的としている。
【０００７】
【課題を解決するための手段】
上記目的を解決するために、本発明の生体情報監視システムは、被験者の生体情報を計測する生体情報計測手段と、前記生体情報を記憶する記憶手段と、からなる生体情報監視システムにおいて、生体情報の計測を行うセンサの故障診断を行う故障診断手段を有することを特徴とする生体情報監視システムである。
【０００８】
本発明の生体情報監視システムは、被験者の生体情報を計測する生体情報計測手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、からなる生体情報監視システムにおいて、前記生体情報計測端末は、生体情報の計測を行うセンサの故障診断を行う故障診断手段を有することを特徴とする生体情報監視システムである。
【０００９】
また、前記生体情報計測手段で計測する生体情報は、前記被験者の行動情報であることを特徴とする。
【００１０】
また、前記生体情報計測手段は加速度センサによって前記被験者の行動情報を計測し、前記故障診断手段は加速度センサに振動を加えて加速度センサの故障診断を行う故障診断手段であることを特徴とする。
【００１１】
また、前記故障診断手段はバイブレータを用いて加速度センサに振動を加えて加速度センサの故障診断を行う故障診断手段であることを特徴とする。
【００１２】
本発明の生体情報監視システムは、被験者の生体情報を計測する生体情報計測手段と、前記生体情報を記憶する記憶手段と、からなる生体情報監視システムにおいて、生体情報の計測を行うセンサ出力の補正を行うセンサ出力補正手段を有することを特徴とする生体情報監視システムである。
【００１３】
本発明の生体情報監視システムは、被験者の生体情報を計測する生体情報計測手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、からなる生体情報監視システムにおいて、前記生体情報計測端末は、生体情報の計測を行うセンサ出力の補正を行うセンサ出力補正手段を有することを特徴とする生体情報監視システムである。
【００１４】
また、前記生体情報計測手段で計測する生体情報は、前記被験者の行動情報であることを特徴とする。
【００１５】
また、前記生体情報計測手段は加速度センサによって前記被験者の行動情報を計測し、前記センサ出力補正手段は加速度センサに振動を加えて加速度センサ出力の補正を行うセンサ出力補正手段であることを特徴とする。
【００１６】
また、前記センサ出力補正手段はバイブレータを用いて加速度センサに振動を加えて加速度センサ出力の補正を行うセンサ出力補正手段であることを特徴とする。
【００１７】
本発明の生体情報監視システムは、被験者の生体情報を計測する生体情報計測手段と、生体情報の計測を行うセンサの故障診断を行う故障診断手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、前記生体情報端末と公衆回線を通じて接続されるコンピュータと、からなることを特徴とする生体情報監視システムである。
【００１８】
本発明の生体情報監視システムは、被験者の生体情報を計測する生体情報計測手段と、生体情報の計測を行うセンサ出力の補正を行うセンサ出力補正手段と、計測された生体情報を送信する送信手段と、を有する生体情報計測端末と、前記生体情報計測端末から送信された前記被験者の生体情報を受信する計測結果受信手段と、受信した生体情報を記憶する記憶手段と、を有する生体情報受信端末と、
前記生体情報端末と公衆回線を通じて接続されるコンピュータと、からなることを特徴とする生体情報監視システムである。
【００１９】
本発明の生体情報監視方法は、被験者の生体情報を計測するステップと、計測された生体情報を送信するステップと、前記生体情報を受信するステップと、受信した生体情報を記憶するステップと、生体情報の計測を行うセンサの故障診断を行うステップと、からなることを特徴とする生体情報監視方法である。
【００２０】
本発明の生体情報監視方法は、被験者の生体情報を計測するステップと、計測された生体情報を送信するステップと、前記生体情報を受信するステップと、
受信した生体情報を記憶するステップと、生体情報の計測を行うセンサ出力の補正を行うステップと、からなることを特徴とする生体情報監視方法である。
【００２１】
本発明の生体情報計測端末は、被験者の生体情報を計測する生体情報計測手段と、計測された生体情報を送信する送信手段と、生体情報の計測を行うセンサの故障診断を行う故障診断手段と、を有することを特徴とする生体情報計測端末である。
【００２２】
本発明の生体情報受信端末は、被験者の生体情報を計測する生体情報計測手段と、計測された生体情報を送信する送信手段と、生体情報の計測を行うセンサ出力の補正を行うセンサ出力補正手段と、を有することを特徴とする生体情報受信端末である。
【００２３】
【発明の実施の形態】
【００２４】
【実施例】
以下、実施例について図面を参照して説明する。
【００２５】
図１は本発明に係る生体情報監視システムの実施例を示すブロック図である。この図に示すように、生体情報監視システムは、被験者の生体情報を計測する生体情報計測端末１１と、生体情報計測端末１１から送信された被験者の生体情報を受信するための生体情報受信端末１２からなる。
【００２６】
生体情報計測端末１１は、前記被験者の生体情報を計測する生体情報計測手段１１１と、生体情報計測手段１１１の出力信号を用いて生体情報計測手段の故障診断を行う故障診断手段１１２と、生体情報計測手段１１１で計測した生体情報と故障診断手段１１２で診断した故障診断結果を生体情報監視端末１２に送信する送信手段１１３と、からなり、生体情報受信端末１２は送信手段１１２から送られてきた被験者の生体情報と生体情報計測手段の故障診断結果を受信する受信手段１２１と、受信手段１２１で受信した被験者の生体情報と生体情報計測手段の故障診断結果を記憶する記憶手段１２２と、からなる。
【００２７】
このように生体情報監視システムにおいて、生体情報計測手段の故障診断を行うことで生体情報計測端末が故障し異常な値を出力した場合に監視者は被験者に異常が起こったと誤認してしまうという危険性を減らすことができる。
【００２８】
図２は本発明に係る生体情報監視システムの実施例を示すブロック図である。この図に示すように、生体情報監視システムは、被験者の生体情報を計測する生体情報計測端末２１と、生体情報計測端末２１から送信された被験者の生体情報を監視するための生体情報受信端末２２からなる。
【００２９】
生体情報計測端末２１は、前記被験者の生体情報を計測する生体情報計測手段２１１と、前記生体情報計測手段の出力の補正を行う出力値補正手段２１２と、前記出力値補正手段２１２で補正された前記被験者の生体情報を送信する送信手段２１３と、からなり、生体情報受信端末２２は、送信手段２１３から送られてきた前記被験者の生体情報を受信する受信手段２２１と、受信した被験者の生体情報を記憶する記憶手段２２２と、からなる。このように、生体情報監視システムにおいて、生体情報計測手段の出力の補正を行うことで信頼性の高い生体情報監視システムを提供することができる。
【００３０】
図３は本発明の実施の形態に係る生体情報監視システムのブロック図である。
【００３１】
本実施の形態では生体情報監視システムは、生体情報計測端末３１と生体情報受信端末３２と、からなる。生体情報計測端末３１は、前記被験者の行動情報を計測する行動情報計測手段３１１と、行動情報計測手段３１１の故障診断を行う故障診断手段３１２と、行動情報計測手段３１１の出力の補正を行う出力補正手段３１  ３と、故障診断手段３１２で診断された故障診断結果と出力補正手段３１３で補正された前記被験者の行動情報を生体情報受信端末３２に送信する送信手段３１４と、からなり、生体情報受信手段３２は送信手段３１４から送られてきた前記生体情報計測端末の故障診断結果と前記被験者の行動情報を受信する受信手段３２１と、受信した前記生体情報計測端末の故障診断結果と前記被験者の行動情報を記録する記録手段３２２とからなる。
【００３２】
行動情報計測手段は例えば加速度センサやジャイロセンサを用いて被験者の動きや姿勢などを計測するものである。故障診断手段は例えばセンサの感度方向と動方向に振動するバイブレータを用いて行動情報計測手段に一定の振動を与え、行動情報計測手段の出力があらかじめハードディスクなどの記憶媒体に記憶されている閾値超えているかどうかで故障診断を行うものである。
【００３３】
送信手段３１４および受信手段３２１は、例えばｂｌｕｅｔｏｏｔｈや微弱無線などを用いて通信を行うものである。記憶手段３２２は、フラッシュメモリやハードディスクなどの記憶媒体に受信手段３２１で受信した被験者の生体情報を書き込むためのＣＰＵ搭載の記憶装置である。
【００３４】
このように生体情報計測端末の故障診断を行うことで生体情報計測端末が故障し異常な値を出力した場合に監視者は被験者に異常が起こったと誤認してしまうという危険性を減らすことができる。出力補正手段は例えばセンサの感度方向と動方向に振動するバイブレータを用いて行動情報計測手段に一定の振動を与え、その出力値から行動情報計測手段の出力値の補正を行う補正係数を決定し、その補正係数を用いて出力値の補正を行うものである。このように、生体情報監視システムにおいて、生体情報計測手段の出力の補正を行うことで経時による感度低下や温度による感度変化の影響を除去することができ信頼性の高い生体情報監視システムを提供することができる。
【００３５】
図４に本発明の実施の形態に係る生体情報計測端末の動作を説明するためのフローチャートを示す。生体情報計測端末は行動情報計測手段で計測を開始する際（４１）、まず故障診断手段において故障診断を行う（４２）。その結果行動情報計測手段が故障していると判断された場合は生体情報受信端末に行動情報計測手段が故障していることを報知する（４３）。故障診断手段において行動情報計測端末が故障していないことが確認されると、出力補正手段において出力値の補正係数が決定され（４４）、その補正係数に基づいて補正された行動情報が計測される（４５）。
【００３６】
【発明の効果】
以上説明したように、本発明によれば、生体情報監視システムにおいて、生体情報計測端末の故障診断を行うことで生体情報計測端末が故障し異常な値を出力した場合に監視者は被験者に異常が起こったと誤認してしまうという危険性を減らすことができる。また、生体情報計測手段の出力の補正を行うことで経時による感度低下や温度による感度変化の影響を除去することができ信頼性の高い生体情報監視システムを提供することができる。
【図面の簡単な説明】
【図１】本発明に係る生体情報監視システムの実施例を示すブロック図である。
【図２】本発明に係る生体情報監視システムの実施例を示すブロック図である。
【図３】本発明の実施の形態に係る生体情報監視システムのブロック図である。
【図４】本発明の実施の形態に係る生体情報計測端末の動作を説明するためのフローチャートである。
【符号の説明】
１１、２１、３１    生体情報計測端末
１２、２２、３２    生体情報受信端末
１１１、２１１    生体情報計測手段
１１２、３１２    故障診断手段
１１３、２１３、３１４    送信手段
１２１、２２１、３２１    受信手段
１２２、２２２、３２２    記憶手段
２１２、３１３    出力補正手段
３１１    行動情報計測手段
【図１】
2004337332.tif 000003
【図２】
2004337332.tif 000004
【図３】
2004337332.tif 000005
【図４】
2004337332.tif 000006